(57)【要約】【課題】種々の物品等を保持する家具等のスライド体を、安定的に移動可能で、その下端側の振れを抑制することが可能でありながらも、見栄えを向上し得るスライドユニット装置を提供する。【解決手段】スライドユニット装置１は、壁パネル１０と、該壁パネルの幅方向に沿って上下に間隔を空けてそれぞれに配設される上下のガイドレール１８，１３と、上端部に前記上ガイドレールの長手方向に沿ってガイドされる上ガイド部２１を設け、前記壁パネルの前面１０ａ側に配設されるスライドユニット２０と、を備え、前記下ガイドレールには、下方開口の凹溝１４が前記壁パネルの略直下に位置するように長手方向に沿って設けられており、前記スライドユニットの下端部には、前記下ガイドレールの凹溝に挿入され、該凹溝の長手方向に沿ってガイドされるガイド部２６と、当該スライドユニットの下方側の走行対象上を前記下ガイドレールの長手方向に沿って走行可能とされた転動体２９と、を有した下ガイド部２５が設けられている。【選択図】図１
2013255670.tif 000002
【特許請求の範囲】
【請求項１】
壁パネルと、該壁パネルの幅方向に沿って上下に間隔を空けてそれぞれに配設される上下のガイドレールと、上端部に前記上ガイドレールの長手方向に沿ってガイドされる上ガイド部を設け、前記壁パネルの前面側に配設されるスライドユニットと、を備え、
前記下ガイドレールには、下方開口の凹溝が前記壁パネルの略直下に位置するように長手方向に沿って設けられており、
前記スライドユニットの下端部には、前記下ガイドレールの凹溝に挿入され、該凹溝の長手方向に沿ってガイドされるガイド部と、当該スライドユニットの下方側の走行対象上を前記下ガイドレールの長手方向に沿って走行可能とされた転動体と、を有した下ガイド部が設けられていることを特徴とするスライドユニット装置。
【請求項２】
請求項１において、
前記下ガイド部の転動体は、前記スライドユニットの背面側に設けられており、前記下ガイドレールには、その前面側に前記転動体を受け入れる空間を形成するように、前記壁パネルの前面よりも奥側に位置するように前記凹溝が設けられていることを特徴とするスライドユニット装置。
【請求項３】
請求項１または２において、
前記下ガイドレールには、その上面が前記下ガイド部の転動体の走行対象となる走行板状部が長手方向に沿って設けられていることを特徴とするスライドユニット装置。
【請求項４】
請求項１乃至３のいずれか１項において、
前記下ガイドレールは、前記壁パネルの下端を保持する取付フレームに設けられていることを特徴とするスライドユニット装置。
【発明の詳細な説明】
【技術分野】
【０００１】
本発明は、種々の物品等を保持するスライドユニット装置に関する。
【背景技術】
【０００２】
種々の物品等を保持する家具等を壁面に沿わせて設置する場合には、耐震対策等の観点から壁面に固定することが望まれていた。このように固定した場合には、一旦設置すると別の場所へ移設することが容易にできないという問題があった。
例えば、下記特許文献１では、引戸本体が、引戸本体に固定されたランナーを介して上レールに支持される上吊り構造の引戸装置が提案されている。この引戸装置では、引戸本体の下端部に、側方に下ローラーを突設した下ピポットを設け、この下ローラーを下ガイドレールに係合させることで、引戸本体の下端部側のガイドがなされる構造とされている。
このような構造の引戸装置によれば、引戸本体がランナーを介して上レールに支持され、下端部側が下ガイドレールにガイドされる構造であるため、引戸本体を該引戸本体の幅方向へ移動させることができるものではあった。
【先行技術文献】
【特許文献】
【０００３】
【特許文献１】特開２００７−１９１９２８号公報
【発明の概要】
【発明が解決しようとする課題】
【０００４】
しかしながら、このような上吊り構造を、例えば、種々の物品等を保持する家具等のスライド体を移動させる構造として採用した場合には、不安定となることが考えられる。また、保持物品等の荷重等も加味して、上吊りレールを強固に天井側に固定したり、天井側に上吊りレールの取付下地等を設けたりする必要性が生じることも考えられる。このような上吊り構造に代えて、下端部に床面等を走行可能とされた転動体を設けた下荷重構造とすることも考えられる。しかしながら、この場合は、上記のようなスライド体の下端側の振れを抑制するために、床面等に転動体が係合する上方開口の凹溝を設けたガイドレール等を設置することが望まれる。この場合には、特にスライド体のスライド方向両側に露出するガイドレールが目立ち易くなり、見栄え等の観点から更なる改善が望まれる。
【０００５】
本発明は、上記実情に鑑みてなされたものであり、種々の物品等を保持する家具等のスライド体を、安定的に移動可能で、その下端側の振れを抑制することが可能でありながらも、見栄えを向上し得るスライドユニット装置を提供することを目的とする。
【課題を解決するための手段】
【０００６】
上記目的を達成するために、本発明に係るスライドユニット装置は、壁パネルと、該壁パネルの幅方向に沿って上下に間隔を空けてそれぞれに配設される上下のガイドレールと、上端部に前記上ガイドレールの長手方向に沿ってガイドされる上ガイド部を設け、前記壁パネルの前面側に配設されるスライドユニットと、を備え、前記下ガイドレールには、下方開口の凹溝が前記壁パネルの略直下に位置するように長手方向に沿って設けられており、前記スライドユニットの下端部には、前記下ガイドレールの凹溝に挿入され、該凹溝の長手方向に沿ってガイドされるガイド部と、当該スライドユニットの下方側の走行対象上を前記下ガイドレールの長手方向に沿って走行可能とされた転動体と、を有した下ガイド部が設けられていることを特徴とする。
【０００７】
本発明においては、前記下ガイド部の転動体は、前記スライドユニットの背面側に設けられており、前記下ガイドレールには、その前面側に前記転動体を受け入れる空間を形成するように、前記壁パネルの前面よりも奥側に位置するように前記凹溝が設けられていてもよい。
また、本発明においては、前記下ガイドレールには、その上面が前記下ガイド部の転動体の走行対象となる走行板状部が長手方向に沿って設けられていてもよい。
また、本発明においては、前記下ガイドレールは、前記壁パネルの下端を保持する取付フレームに設けられていてもよい。
【発明の効果】
【０００８】
本発明に係るスライドユニット装置は、上述のような構成としたことで、種々の物品等を保持する家具等のスライド体を、安定的に移動可能で、その下端側の振れを抑制することが可能でありながらも、見栄えを向上させることができる。
【図面の簡単な説明】
【０００９】
【図１】本発明の一実施形態に係るスライドユニット装置の一例を模式的に示し、図４のＸ−Ｘ線矢視に対応させた一部破断概略縦断面図である。
【図２】同スライドユニット装置を模式的に示し、図４のＹ１部に対応させた一部破断概略分解斜視図である。
【図３】同スライドユニット装置を模式的に示し、図４のＹ２部に対応させた一部破断概略分解斜視図である。
【図４】同スライドユニット装置を模式的に示す一部破断概略斜視図である。
【図５】同スライドユニット装置を模式的に示す一部破断概略斜視図である。
【発明を実施するための形態】
【００１０】
以下に本発明の実施の形態について、図面に基づいて説明する。
なお、一部の図では、他図に付している詳細な符号の一部を省略している。
また、以下の実施形態では、スライドユニット装置が設置された状態で、図１に示すＶ方向から見た状態を基準として、図１における左側（スライドユニット装置が存在する側）を前方側とし、その逆側を後方側として、その方向等を原則的に説明する。
【００１１】
図１〜図５は、本実施形態に係るスライドユニット装置の一例を模式的に示す図である。
本実施形態に係るスライドユニット装置１は、図４及び図５に示すように、壁パネル１０と、壁パネル１０の幅方向に沿って上下に間隔を空けてそれぞれに配設される上下のガイドレール１８，１３と、を備えている（図１も参照）。また、本実施形態に係るスライドユニット装置１は、壁パネル１０の前面１０ａ側に配設されるスライド体としてのスライドユニット２０，２０Ａ，２０Ｂ，２０Ｃを備えている（図１も参照）。
図例では、四種類のスライドユニット２０，２０Ａ，２０Ｂ，２０Ｃを備えたスライドユニット装置１を例示している。
スライドユニット２０，２０Ａ，２０Ｂ，２０Ｃは、物品保持部３０，３０Ａ，３０Ｂ，３０Ｃをそれぞれの前面側に有しており、物品保持体として機能する。
【００１２】
これら四種類のスライドユニットのうち、スライドユニット２０は、物品保持部としてのカウンター状の作業台３０や棚板３０を上下に複数設けた略矩形平板状のカウンターユニット２０とされている。これらカウンター状の作業台３０や棚板３０に保持される対象保持物品としては、パソコン等の情報端末機器やその他の電子機器、本等としてもよい。
これら四種類のスライドユニットのうち、スライドユニット２０Ａは、物品保持部としての引掛部３０Ａを備えた略矩形平板状の物干しユニット２０Ａとされている。この引掛部３０Ａに保持される対象となる対象保持物品としては、物干し竿やハンガー等としてもよい。
これら四種類のスライドユニットのうち、スライドユニット２０Ｂは、物品保持部としてのパネル掛け部３０Ｂを備えたパネル掛けユニット２０Ｂとされている。図例では、二つの棒状のパネル掛けユニット２０Ｂ，２０Ｂを左右方向（上下のガイドレール１８，１３の長手方向）に間隔を空けて配設し、これら２つのパネル掛けユニット２０Ｂ，２０Ｂのそれぞれのパネル掛け部３０Ｂ，３０Ｂに、対象保持物品としてのパネル状のテレビ等の表示装置を保持させた例を示している。
これら四種類のスライドユニットのうち、スライドユニット２０Ｃは、略矩形平板状の背板の左右両側端部に側板状体を設け、これら側板状体の間に上下方向に間隔を空けて物品保持部としての複数の棚板３０Ｃ，３０Ｃを架け渡して構成された収納ユニット２０Ｃとされている。これら複数の棚板３０Ｃ，３０Ｃに保持される対象保持物品としては、本や小物等としてもよい。
【００１３】
これらスライドユニット２０，２０Ａ，２０Ｂ，２０Ｃの上端部には、図１に示すように、上ガイドレール１８の長手方向に沿ってガイドされる上ガイド部２１が設けられている（図２も参照）。
また、これらスライドユニット２０，２０Ａ，２０Ｂ，２０Ｃの下端部には、図１に示すように、下ガイド部２５が設けられている（図３も参照）。
なお、これらスライドユニット２０，２０Ａ，２０Ｂ，２０Ｃに設けられた上ガイド部２１及び下ガイド部２５の構成は概ね同様であるので、以下では、スライドユニット２０の上ガイド部２１及び下ガイド部２５を例にとって説明する。
【００１４】
壁パネル１０は、図１、図４及び図５に示すように、略矩形平板状とされている。
この壁パネル１０としては、断熱パネルや不燃パネル、吸音パネル、調湿パネル、抗菌パネル等の種々の機能を有した機能壁パネルとしてもよい。
また、壁パネル１０は、例えば、既存の壁体の壁面２や床３、天井４等の取付対象に対して取り付けるようにしてもよい。また、適宜の幅寸法とされた複数枚の壁パネル１０を、幅方向に隣接させて取付対象に取り付けるようにしてもよい。
本実施形態では、壁パネル１０を、後記する上端取付フレーム１６及び下端取付フレーム１１を介して、既存の壁体の壁面２に沿わせるように、この壁面２の略全域を覆うように取り付けた例を示している。
また、壁パネル１０の配設態様としては、図例のように、既存の壁体の壁面２等に沿うように配設する態様に限られず、例えば、壁下地等に沿うように配設する態様としてもよい。さらには、壁パネル１０の配設態様としては、このような壁面２や壁下地等に沿うように配設する態様に限られず、住居等の建物内空間を間仕切る間仕切パネルとして配設するようにしてもよい。この場合は、壁パネル１０を、上端取付フレーム１６及び下端取付フレーム１１を介して、床３や天井４等に対して取り付けるようにしてもよい。
【００１５】
また、この壁パネル１０や後記する上端取付フレーム１６、下端取付フレーム１１と、スライドユニット２０，２０Ａ，２０Ｂ，２０Ｃとが、干渉しないように、これらを近接対面させて配設するようにしてもよい。これらスライドユニット２０，２０Ａ，２０Ｂ，２０Ｃの背面２０ｃと壁パネル１０の前面１０ａとの間の間隔は、上下のガイドレール１８，１３の長手方向に沿うスライドユニット２０，２０Ａ，２０Ｂ，２０Ｃのスライドがスムーズになされるように、適宜設定するようにしてもよい。
【００１６】
上端取付フレーム１６は、図１に示すように、壁パネル１０の上端１０ｂを保持する上端保持部１７を備えている。
本実施形態では、この上端取付フレーム１６に、上ガイドレール１８を構成する上ガイドレール部１８を設けている。
【００１７】
上端保持部１７は、図１に示すように、下方に開口した形状とされている。この上端保持部１７は、壁面２に略平行に配設される細長平板状の固定片部と、この固定片部の上縁から前方に突出するように設けられた天片部と、この天片部の前縁から下方に垂れ下がるように設けられた前側片部と、を備えている。この上端保持部１７は、これら固定片部、天片部及び前側片部によって、下方に開口する係合凹所を区画形成しており、この係合凹所に、壁パネル１０の上端１０ｂが収容される構造とされている。
なお、上端取付フレーム１６は、上端保持部１７の固定片部や天片部を、壁面２や天井４等に当接させて、ボルトやねじ等の固定止具によって、壁面２や天井４等に固定するようにしてもよい。
【００１８】
上ガイドレール部１８は、図１に示すように、下方に開口した形状とされており、下方開口のスライド溝１９を、スライドユニット２０の略直上に位置するように長手方向に沿って設けた構造とされている。
本実施形態では、上ガイドレール部１８を、壁パネル１０の上端１０ｂの前方側に設けており、また、上ガイドレール部１８を、上端保持部１７の前方側に設けている。
この上ガイドレール部１８は、スライド溝１９の溝底となる天片部と、この天片部の前後方向（壁面２に垂直な方向）の両端縁部から垂れ下がるように設けられた両側壁部とを備えており、これら天片部と両側壁部とによって、スライド溝１９が区画形成されている。また、図例では、上ガイドレール部１８の両側壁部の下端縁に互いに向き合う方向にそれぞれ突出する抜止片を設けた例を示している。また、図例では、上ガイドレール部１８の後方側（壁面２側）の側壁部を、上端保持部１７の前側片部に固定した構造としている。
なお、この上ガイドレール部１８と上記した上端保持部１７とは、それぞれに別体とされたものを接着や溶接等によって接合したものとしてもよく、または、一体的に形成されたものとしてもよい。
【００１９】
下端取付フレーム１１は、図１に示すように、壁パネル１０の下端１０ｃを保持する下端保持部１２を備えている。
本実施形態では、この下端取付フレーム１１に、下ガイドレール１３を構成する下ガイドレール部１３を設けている。
【００２０】
下端保持部１２は、図１に示すように、上方に開口した形状とされている。この下端保持部１２は、壁面２に固定される細長平板状の固定片部と、この固定片部の下縁から前方に突出するように設けられた底片部と、この底片部の前縁から上方に立ち上がるように設けられた前側片部と、を備えている。この下端保持部１２は、これら固定片部、底片部及び前側片部によって、上方に開口する係合凹所を区画形成しており、この係合凹所に、壁パネルの下端１０ｃが嵌め込まれる構造とされている。
また、図例では、固定片部の前面側及び前側片部の後面側に、互いに向き合う方向に突出するように段差部を設けた例を示している。これら固定片部の段差部及び前側片部の段差部に壁パネル１０の下端１０ｃが載置される構造とされている。
なお、図例では、下端保持部１２の係合凹所の下方側に、種々の配線等を収容させる収容凹所を設けた例を示している。
また、下端取付フレーム１１は、下端保持部１２の固定片部を壁面２等に当接させて、ボルトやねじ等の固定止具によって、壁面２等に固定するようにしてもよい。
【００２１】
上記した下端保持部１２の係合凹所及び上端保持部１７の係合凹所に、壁パネル１０の下端１０ｃ及び上端１０ｂをそれぞれ嵌め込み、壁パネル１０を取付対象に取り付けるようにしてもよい。
また、図例では、上端保持部１７の係合凹所の深さ寸法（上下寸法）を大きくし、壁パネル１０の上端１０ｂ及び下端１０ｃが上下の保持部１７，１２の係合凹所にそれぞれ係合した状態で、壁パネル１０の上方側に空間が形成されるようにしている。このような構成とすれば、いわゆる、けんどん式に壁パネル１０の上端１０ｂ及び下端１０ｃをこれら上下の保持部１７，１２の係合凹所に嵌め込むことができる。また、このような構成とすれば、壁パネル１０を上端保持部１７（上端取付フレーム１６）及び下端保持部１２（下端取付フレーム１１）から取り外すことも容易となる。
また、壁パネル１０の上端１０ｂ及び下端１０ｃを、上下の保持部１７，１２の係合凹所にそれぞれ係合させて保持させる態様に加えて、ボルトやねじ等の固定止具によって、壁パネル１０を上端保持部１７や下端保持部１２等に固定するようにしてもよい。
【００２２】
下ガイドレール部１３は、図１に示すように、下方に向けて開口した形状とされており、下方開口の凹溝１４を、壁パネル１０の略直下に位置するように長手方向に沿って設けている。
本実施形態では、下端保持部１２の下方側に下ガイドレール部１３を設けている。
下ガイドレール部１３は、凹溝１４の溝底となる天片部と、この天片部の前後方向（壁面２に垂直な方向）の両端縁部から垂れ下がるように設けられた両側壁部とを備えており、これら天片部と両側壁部とによって、凹溝１４が区画形成されている。
また、下ガイドレール部１３の後方側（壁面２側）の側壁部は、下端保持部１２の底片部の後端側の近傍から垂れ下がるように設けられた垂下片部によって構成されている。また、図例では、下ガイドレール部１３の天片部を、下端保持部１２の底片部に固定した例を示している。
また、本実施形態では、下ガイドレール部１３に、その前面側に後記するスライドユニット２０の下ガイド部２５の転動体２９を受け入れる空間を形成するように、壁パネル１０の前面１０ａよりも奥側に位置するように凹溝１４を設けている。この凹溝１４は、壁パネル１０の厚さ方向略中心よりも奥側に設けるようにしてもよい。図例では、下ガイドレール部１３の後方側の側壁部（垂下片部）を、壁パネル１０の背面１０ｃの略直下に位置するように設け、下ガイドレール部１３の前方側の側壁部を、壁パネル１０の厚さ方向の略中心に位置するように設けた例を示している。
また、下ガイドレール部１３の前方側の側壁部の下方側に、後記する下ガイド部２５のガイド部２６を受け入れる空間を設けている。
【００２３】
また、本実施形態では、下ガイドレール部１３に、その上面１５ａが下ガイド部２５の転動体２９の走行対象となる走行板状部１５を長手方向に沿って設けている。
また、走行板状部１５は、細長平板状とされており、床３と略平行に床３に沿うように配設される。走行板状部１５は、上記した下ガイドレール部１３の後方側の側壁部を構成する垂下片部の下縁から前方に突出するように設けられている。また、走行板状部１５は、スライドユニット２０の下ガイド部２５に設けられた転動体２９の直下に位置するように設けられている。図例では、走行板状部１５を、その前端面が壁パネル１０の前面１０ａと略同一平面状となるように設けた例を示している。
なお、走行板状部１５の裏面に、裏面側（床３側）に突出する突出片部を設け、この突出片部を、床３に形成された切欠部に挿入して、走行板状部１５を床３に設置するようにしてもよい。
また、下ガイドレール部１３の天片部及び両側壁部、走行板状部１５は、それぞれに別体とされたものを接着や溶接等によって接合したものとしてもよく、または、一体的に形成されたものとしてもよい。また、この下ガイドレール部１３と上記した下端保持部１２とは、それぞれに別体とされたものを接着や溶接等によって接合したものとしてもよく、または、一体的に形成されたものとしてもよい。
【００２４】
スライドユニット２０の上ガイド部２１は、図１に示すように、上記した上ガイドレール部１８のスライド溝１９に挿入されるガイド部２３を備えている。
本実施形態では、図２に示すように、スライドユニット２０の上端部の左右方向の両端部のそれぞれに上ガイド部２１，２１を設けている。なお、スライドユニット２０の上端部に、単一の上ガイド部２１を設けた態様としてもよい。
また、本実施形態では、上ガイド部２１のガイド部２３を、上下に延びる軸部２４廻りに水平面域方向に回動自在とされたガイドローラー２３としている。
また、図１に示すように、このガイドローラー２３が上ガイドレール部１８のスライド溝１９に挿入された状態で、ガイドローラー２３がスライド溝１９内を上下動可能なように、ガイドローラー２３の上下に空間が設けられている。これら上下の空間は、上下のガイドレール部１８，１３（上下の取付フレーム１６，１１）の施工誤差や上下のガイドレール部１８，１３等の固定対象の不陸等の観点から、適宜設定するようにしてもよい。
【００２５】
また、ガイドローラー２３は、上ガイドレール部１８のスライド溝１９の内周面に当接して上ガイドレール部１８の長手方向に沿って転動自在とされている。このガイドローラー２３は、耐摩耗性や摺動性に比較的に優れた金属系材料や硬質の合成樹脂系材料から形成されたものとしてもよい。
また、図例では、このガイドローラー２３の軸部２４を、スライドユニット２０の上端部に固定される固定部２２の上面から上方に突出するように設け、その先端にガイドローラー２３を設けた例を示している。また、図例では、ブロック状とされた固定部２２を示している。
スライドユニット２０の上端部の左右方向の両端部には、図２に示すように、左右方向外方側及び上方側に開口するように形成された収容凹所２０ａ、２０ａがそれぞれに設けられている。これら収容凹所２０ａ、２０ａに、上ガイド部２１，２１の各固定部２２，２２が収容されるように取り付けられる構造とされている。
【００２６】
なお、固定部２２としては、スライドユニット２０の収容凹所２０ａに収容されるブロック状とされたものに限られず、スライドユニット２０の上端面や側端面等に取り付けられるプレート状とされたものとしてもよい。
また、図例では、固定部２２に軸部２４を設け、この固定部２２をスライドユニット２０に固定する例を示したが、このような固定部２２を設けずに、スライドユニット２０の上端面等に直接的にガイドローラー２３を設けた軸部２４を設けるようにしてもよい。
【００２７】
スライドユニット２０の下ガイド部２５は、図１に示すように、上記した下ガイドレール部１３の凹溝１４に挿入され、凹溝１４の長手方向に沿ってガイドされるガイド部２６と、スライドユニット２０の下方側の走行対象上を下ガイドレール部１３の長手方向に沿って走行可能とされた転動体２９と、を有している。
本実施形態では、図３に示すように、スライドユニット２０の下端部の左右方向の両端部のそれぞれに下ガイド部２５，２５を設けている。なお、スライドユニット２０の下端部に、単一の下ガイド部２５を設けた態様としてもよい。
【００２８】
この下ガイド部２５のガイド部２６は、本実施形態では、略矩形の細長平板状とされ、下ガイドレール部１３の長手方向に沿って長尺に形成されたガイド片２６とされている。
このガイド片２６は、図１に示すように、スライドユニット２０の下端面に沿わせるように床３と略平行に配設される固定片部の後端縁（壁面２側の端縁）から下ガイドレール部１３の凹溝１４に向けて立ち上がるように設けられている。この固定片部とガイド片２６とは、側面視して略Ｌ字状とされている。
また、ガイド片２６は、下ガイドレール部１３の凹溝１４に挿入されて、凹溝１４の長手方向に沿ってガイドされる構造とされている。このガイド片２６は、その厚さ方向を凹溝１４の溝幅方向（前後方向）に沿わせ、その厚さ方向両側面を、凹溝１４の溝幅方向内壁面に近接対面させて凹溝１４に挿入される構造とされている。
また、ガイド片２６は、凹溝１４を構成する天片部との間に間隔を設けるように、凹溝１４に挿入される構造とされている。
【００２９】
上記したように、ガイド部２６を細長平板状のガイド片２６とすることで、下ガイドレール部１３の凹溝１４の溝幅方向（前後方向）の幅寸法を小さくすることができる。また、これにより、例えば、ガイド部２６にガイドローラーを設けた場合と比べて、凹溝１４を、より奥側に位置するように設けることができる。
また、図１に示すように、このガイド片２６が下ガイドレール部１３の凹溝１４に挿入された状態で、ガイド片２６が凹溝１４内を上下動可能なように、ガイド片２６の上下に空間が設けられている。これら上下の空間は、上記同様、上下のガイドレール部１８，１３（上下の取付フレーム１６，１１）の施工誤差や上下のガイドレール部１８，１３等の固定対象の不陸等の観点から、適宜設定するようにしてもよい。
また、ガイド片２６は、耐摩耗性や摺動性に比較的に優れた金属系材料や硬質の合成樹脂系材料から形成されたものとしてもよい。
なお、ガイド部２６としては、細長平板状のガイド片２６に限定されず、ピン状とされたものや、軸部廻りに回動自在とされ、下ガイドレール部１３の凹溝１４の内周面に当接して転動するガイドローラーを設けたものとしてもよい。また、ガイド部２６としては、下ガイドレール部１３の凹溝１４の内周面に当接するスライド部を備えたものとしてもよい。
【００３０】
この下ガイド部２５の転動体２９は、本実施形態では、図１に示すように、スライドユニット２０の下端部の背面２０ｃ側に設けられている。
転動体２９は、走行板状部１５の上面１５ａ上を走行可能なように形成されている。図例では、水平軸回りに回動するキャスターとされた転動体２９を示している。
転動体２９は、下ガイド部２５の背面側に設けられた転動体保持部２７の下方側に開口する収容凹所に収容されるように設けられている。
転動体保持部２７は、前後方向に架け渡された水平軸を有し、この水平軸廻りに転動体２９が回動する構成とされている。
また、転動体保持部２７には、転動体保持部２７のスライドユニット２０の背面側の側壁部の下端縁から前方側に突出するように固定片部が設けられている。
なお、転動体２９は、図例のような水平軸回りに回動するキャスターに限定されることはなく、ボール状キャスター等としてもよい。
【００３１】
また、本実施形態では、上記した下ガイド部２５のガイド片２６の固定片部と転動体２９を備えた転動体保持部２７の固定片部とを、スライドユニット２０のスライド方向に一連に形成した例を示している。このように、ガイド片２６と転動体２９を備えた転動体保持部２７とを一体的に形成することにより、例えば、これらを別体として形成した場合と比べて、組付性を向上させることができる。
また、図例では、転動体保持部２７の固定片部の上面側に、スライドユニット２０の下端部に固定される固定部２８を設けた例を示している。図例では、ブロック状とされた固定部２８を示している。
スライドユニット２０の下端部の左右方向の両端部には、図３に示すように、左右方向外方側及び下方側に開口するように形成された収容凹所２０ｂ，２０ｂがそれぞれに設けられている。これら収容凹所２０ｂ，２０ｂに、下ガイド部２５，２５の各固定部２８，２８が収容されるように取り付けられる構造とされている。
なお、このようにブロック状の固定部２８をスライドユニット２０の収容凹所２０ｂに収容させて下ガイド部２５を取り付ける態様に代えて、これらを設けずに、上記した固定片部を固定部としてスライドユニット２０の下端面に取り付ける態様としてもよい。または、スライドユニット２０の側端面に取り付けられるプレート状の固定部を設けた態様としてもよい。
また、下ガイド部２５のガイド片２６と転動体２９を備えた転動体保持部２７とを、一体的に形成した態様に代えて、これらを個別に形成し、それぞれをスライドユニット２０に取り付ける態様としてもよい。
【００３２】
本実施形態に係るスライドユニット装置１は、壁パネル１０の上方側及び下方側にそれぞれ配設される上下のガイドレール１８，１３（上ガイドレール部１８及び下ガイドレール部１３）と、これら上下のガイドレール１８，１３に長手方向に沿ってガイドされ、壁パネル１０の前面１０ａ側に配設されるスライドユニット２０，２０Ａ，２０Ｂ，２０Ｃと、を備えている。従って、図４及び図５に示すように、例えば、上記したように、種々の機能を有した壁パネル１０を、既存の壁体の壁面２や壁下地等に沿わせるように設け、その前面１０ａ側に、物干しや棚、収納等の機能を有したスライドユニット２０，２０Ａ，２０Ｂ，２０Ｃを壁パネル１０の幅方向に沿って移動自在に設けることができる。または、上記したように、このような機能壁パネルを、間仕切りパネルとして配設し、その前面１０ａ側に、スライドユニット２０，２０Ａ，２０Ｂ，２０Ｃを壁パネル１０の幅方向に沿って移動自在に設けることができる。
また、下ガイドレール１３の凹溝１４を、壁パネル１０の略直下に位置するように設け、スライドユニット２０，２０Ａ，２０Ｂ，２０Ｃの下ガイド部２５を、この下ガイドレール１３の凹溝１４に挿入されてガイドされるガイド部２６と走行対象上を走行可能とされた転動体２９とを設けた構造としている。従って、転動体２９によって当該スライドユニット２０，２０Ａ，２０Ｂ，２０Ｃの荷重を受ける下荷重構造となり、当該スライドユニット２０，２０Ａ，２０Ｂ，２０Ｃを安定的に移動可能でありながらも、下ガイドレール１３の凹溝１４に挿入されたガイド部２６によってスライドユニット２０，２０Ａ，２０Ｂ，２０Ｃの下端側の振れ（前後方向への振れ）を抑制することができる。また、例えば、戸車等の転動体が係合する上方開口の凹溝を設けたガイドレール（戸車レール）を床側に設けたような場合と比べて、下ガイドレール１３が目立ち難くなり、見栄えを向上させることができる。つまり、本実施形態に係るスライドユニット装置１によれば、スライド体としてのスライドユニット２０，２０Ａ，２０Ｂ，２０Ｃを、安定的に移動可能で、その下端側の振れを抑制することが可能でありながらも、見栄えを向上させることができる。
【００３３】
また、本実施形態では、下ガイド部２５の転動体２９を、スライドユニット２０，２０Ａ，２０Ｂ，２０Ｃの背面２０ｃ側に設けている。従って、例えば、当該転動体２９をスライドユニット２０，２０Ａ，２０Ｂ，２０Ｃの直下に設けたような場合と比べて、前面側から見た状態では、転動体２９が目立ち難くなり、スライドユニット２０，２０Ａ，２０Ｂ，２０Ｃの見栄えを向上させることができる。
また、下ガイドレール１３を、その前面側に転動体２９を受け入れる空間を形成するように、壁パネル１０の前面１０ａよりも奥側に位置するように凹溝１４を設けた構造としている。従って、下ガイドレール１３の凹溝１４が、壁パネル１０の下方側に、言わば入巾木状に設けられることとなり、例えば、下ガイドレール１３の凹溝１４を壁パネル１０の前面１０ａ近傍に設けたような場合と比べて、壁パネル１０の下方側の見栄えを向上させることができる。
【００３４】
また、本実施形態では、下ガイドレール１３に、その上面１５ａが下ガイド部２５の転動体２９の走行対象となる走行板状部１５を長手方向に沿って設けている。従って、スライドユニット２０，２０Ａ，２０Ｂ，２０Ｃの下ガイド部２５の転動体２９の走行対象を床面とした場合と比べて、スライドユニット２０，２０Ａ，２０Ｂ，２０Ｃ等の荷重による床面の損傷を低減することができる。
また、本実施形態では、下ガイド部２５の転動体２９を、スライドユニット２０，２０Ａ，２０Ｂ，２０Ｃの背面２０ｃ側に設け、この転動体２９の直下に走行板状部１５を設けている。従って、例えば、転動体２９をスライドユニット２０，２０Ａ，２０Ｂ，２０Ｃの直下に設け、走行板状部１５を該転動体２９の直下に設けたような場合と比べて、走行板状部１５の壁パネル１０の前面１０ａからの突出寸法を小さくすることができ、走行板状部１５を目立ち難くすることができる。
【００３５】
また、本実施形態では、壁パネル１０の下端１０ｃを保持する下端取付フレーム１１に下ガイドレールとしての下ガイドレール部１３を設けている。従って、この下端取付フレーム１１が壁パネル１０の下端１０ｃを保持する機能とスライドユニット２０，２０Ａ，２０Ｂ，２０Ｃの下端側をガイドする機能とを兼ね備えたものとなる。これにより、例えば、壁パネル１０の下端１０ｃを保持する取付フレームと、スライドユニット２０，２０Ａ，２０Ｂ，２０Ｃの下端側をガイドする下ガイドレール部１３と、を別部材とした場合と比べて、施工性を向上させることができる。
また、本実施形態では、壁パネル１０の上端１０ｂを保持する上端取付フレーム１６に上ガイドレールとしての上ガイドレール部１８を設けている。従って、上記と概ね同様、この上端取付フレーム１６が壁パネル１０の上端１０ｂを保持する機能とスライドユニット２０，２０Ａ，２０Ｂ，２０Ｃの上端側をガイドする機能とを兼ね備えたものとなり、施工性を向上させることができる。
つまり、本実施形態では、壁パネル１０の上下を保持する上下の取付フレーム１６，１１に、壁パネル１０の前面１０ａ側に配設されるスライドユニット２０，２０Ａ，２０Ｂ，２０Ｃの上下をガイドする上下のガイドレール部１８，１３を設けた構造としている。従って、これら壁パネル１０の上下を保持する上下の取付フレーム１６，１１を取付対象に取り付けることで、壁パネル１０の保持とスライドユニット２０，２０Ａ，２０Ｂ，２０Ｃの上下のガイドとを簡易に実現することができる。
なお、これら上下のガイドレール部１８，１３を、壁パネル１０の上下を保持する上下の取付フレーム１６，１１に設けずに、別途に設けた態様としてもよい。
【００３６】
なお、本実施形態では、スライドユニット２０，２０Ａ，２０Ｂ，２０Ｃの背面２０ｃ側に下ガイド部２５の転動体２９を設けた例を示しているが、この態様に限定されない。例えば、下ガイド部２５の転動体２９を、スライドユニット２０，２０Ａ，２０Ｂ，２０Ｃの直下に設けるようにしてもよい。この場合は、転動体２９は、図例のようなキャスターやボール状キャスターとしてもよく、また、例えば、上側部位がスライドユニット２０，２０Ａ，２０Ｂ，２０Ｃの下端部に埋め込まれるようにして設けられた戸車状のものとしてもよい。また、下ガイド部２５の転動体２９を、スライドユニット２０，２０Ａ，２０Ｂ，２０Ｃの直下に設けた場合は、走行板状部１５を、転動体２９の直下に設けるようにしてもよい。
【００３７】
また、本実施形態では、下ガイドレール１３の凹溝１４を、壁パネル１０の前面１０ａよりも奥側に位置するように設けた例を示しているが、この態様に限定されず、例えば、壁パネル１０の前面１０ａ近傍に位置するように凹溝１４を設けるようにしてもよい。
また、本実施形態では、下ガイドレール１３に、その上面１５ａが下ガイド部２５の転動体２９の走行対象となる走行板状部１５を長手方向に沿って設けた例を示しているが、この態様に限定されない。転動体２９の走行対象となる走行板状部１５を下ガイドレール１３に設けずに、転動体２９の走行対象となる走行板状部１５を床３等に直接的に設けるようにしてもよい。このような場合でも、ガイド部２６によってスライドユニット２０，２０Ａ，２０Ｂ，２０Ｃの下端側の振れを抑制することができ、走行板状部１５を細長平板状とすることができるので、見栄えを向上させることができる。
また、このような転動体２９の走行対象となる走行板状部１５を設けずに、転動体２９の走行対象を床３等としてもよい。
【００３８】
また、本実施形態では、上ガイドレール１８を、壁パネル１０の上端１０ｂの前方側に設けた例を示しているが、この態様に限定されず、例えば、上ガイドレール１８を、壁パネル１０の直上に設けるようにしてもよい。この場合には、スライドユニット２０の上ガイド部２１を適宜変形するようにしてもよい。
また、本実施形態では、上ガイド部２１のガイド部を、水平面域方向に回動自在としたガイドローラー２３とした例を示しているが、これに限定されず、垂直面域方向に回動自在としたガイドローラー２３としてもよい。
また、上ガイド部２１のガイド部としては、ガイドローラー２３に限られず、例えば、上ガイドレール１８のスライド溝１４に挿入されるピン状体や、係合片部としてもよい。また、上ガイド部２１のガイド部としては、上ガイドレール部１８のスライド溝１９の内周面に当接するスライド部を備えたものとしてもよい。
また、本実施形態では、上ガイドレール１８のスライド溝１９を下方開口形状とした例を示しているが、この態様に限定されず、上ガイドレール１８のスライド溝１９を上方開口形状としてもよい。この場合は、上ガイド部２１を適宜変形するようにしてもよい。
【符号の説明】
【００３９】
１                スライドユニット装置
１０              壁パネル
１０ａ            前面
１０ｃ            下端
１１              下端取付フレーム（取付フレーム）
１３              下ガイドレール部（下ガイドレール）
１４              凹溝
１５              走行板状部
１５ａ            上面
１８              上ガイドレール部（上ガイドレール）
２０              スライドユニット
２０ｃ            背面
２１              上ガイド部
２５              下ガイド部
２６              ガイド部
２９              転動体
【図１】
2013255670.tif 000003
【図２】
2013255670.tif 000004
【図３】
2013255670.tif 000005
【図４】
2013255670.tif 000006
【図５】
2013255670.tif 000007